Podtech/llm-jp-corpus-v4-ja_patent huggingface dataset:
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
スルホニルもしくはスルフィニルピリミジニル化合物であって、下記の式ＩＩ：
【化１】
2019524739.tif 000001
（式中、
Ｒ１は、置換されていてもよく、ヘテロ−であってもよく、環式であってもよいＣ１−Ｃ１８ヒドロカルビルであり；
Ｒ２は、置換されていてもよいヘテロ原子、または置換されていてもよく、ヘテロ−であってもよく、環式であってもよいＣ１−Ｃ１８ヒドロカルビルであり；
Ｒ４は、Ｈまたは置換されていてもよいヘテロ原子、または置換されていてもよく、ヘテロ−であってもよく、環式であってもよいＣ１−Ｃ１８ヒドロカルビルであり；および
Ｒ５は、置換されていてもよいベンジルであり、ただし該ベンゼン環中の隣接炭素原子上に２つの置換基が存在する場合、当該２つの置換基は、式−Ａ−（ＣＨ２）ｒ−Ｂ−［式中、ＡおよびＢは独立して、−ＣＨ２−、−Ｏ−、−ＮＨ−、−Ｓ−、−Ｓ（Ｏ）−、−Ｓ（Ｏ）２−、−Ｓ（Ｏ）２ＮＲ’−または単結合であり、ｒは１〜３の整数であり、そのようにして形成された新たな環の単結合の１つは二重結合であってもよい］の基を形成してもよいか、あるいは、該ベンゼン環中の隣接原子上の置換基の２つが、式−（ＣＨ２）ｓ−Ｘ−（ＣＨ２）ｔ−［式中、ｓおよびｔは独立して０〜３の整数であり、Ｘは、−Ｏ−、−ＮＲ’−、−Ｓ−、−Ｓ（Ｏ）−、−Ｓ（Ｏ）２−または−Ｓ（Ｏ）２ＮＲ’−である］の基を形成してもよく、ここで、前記−ＮＲ’−および−Ｓ（Ｏ）２ＮＲ’−における置換基Ｒ’は、水素または非置換（Ｃ１−Ｃ６）アルキルから選択される）
を有する化合物もしくは以下の構造
【化２】
2019524739.tif 000002
を有する対応スルフィニル、またはその立体異性体、水和物、塩もしくはアセタート。
【請求項２】
Ｒ１が置換されていてもよいＣ１−Ｃ４アルキルである、請求項１に記載の化合物。
【請求項３】
Ｒ１がメチルまたはエチルである、請求項１に記載の化合物。
【請求項４】
Ｒ２が置換されていてもよいＣ１−Ｃ４アルキルである、請求項１〜３のいずれか一項に記載の化合物。
【請求項５】
Ｒ２がメチルあるいはＦ、ＣＨ２Ｆ、ＣＨＦ２またはＣＦ３である、請求項１〜３のいずれか一項に記載の化合物。
【請求項６】
Ｒ４がＨである、請求項１〜５のいずれか一項に記載の化合物。
【請求項７】
Ｒ５が置換されていてもよいベンジルであり、ただし該ベンゼン環中の隣接炭素原子上に２つの置換基が存在する場合、当該２つの置換基は、式−Ａ−（ＣＨ２）ｒ−Ｂ−［式中、ＡおよびＢは独立して、−ＣＨ２−、−Ｏ−、−ＮＨ−、−Ｓ−、−Ｓ（Ｏ）−、−Ｓ（Ｏ）２−、−Ｓ（Ｏ）２ＮＲ’−または単結合であり、ｒは１の整数であり、そのようにして形成された新たな環の単結合の１つは二重結合であってもよい］の基を形成してもよいか、あるいは、該ベンゼン環中の隣接原子上の置換基の２つが、式−（ＣＨ２）ｓ−Ｘ−（ＣＨ２）ｔ−［式中、ｓおよびｔは独立して０〜３の整数であり、Ｘは、−Ｏ−、−ＮＲ’−、−Ｓ−、−Ｓ（Ｏ）−、−Ｓ（Ｏ）２−または−Ｓ（Ｏ）２ＮＲ’−である］の基を形成してもよく、ここで、前記−ＮＲ’−および−Ｓ（Ｏ）２ＮＲ’−における置換基Ｒ’は、水素または非置換（Ｃ１−Ｃ６）アルキルから選択される、請求項１、２、３、４、５または６に記載の化合物。
【請求項８】
Ｒ５が置換されていてもよいベンジルであり、該ベンゼン環中の隣接炭素原子上の２つの置換基が、式−Ａ−（ＣＨ２）ｒ−Ｂ−［式中、ＡおよびＢは独立して、−ＣＨ２−、−Ｏ−、−ＮＨ−、−Ｓ−、−Ｓ（Ｏ）−、−Ｓ（Ｏ）２−、−Ｓ（Ｏ）２ＮＲ’−または単結合であり、ｒは２の整数であり、そのようにして形成された新たな環の単結合の１つは二重結合であってもよい］の基を形成するか、あるいは、該ベンゼン環中の隣接原子上の置換基の２つが、式−（ＣＨ２）ｓ−Ｘ−（ＣＨ２）ｔ−［式中、ｓおよびｔは独立して０〜２の整数であり、Ｘは、−Ｏ−、−ＮＲ’−、−Ｓ−、−Ｓ（Ｏ）−、−Ｓ（Ｏ）２−または−Ｓ（Ｏ）２ＮＲ’−である］の基を形成してもよく、ここで、前記−ＮＲ’−および−Ｓ（Ｏ）２ＮＲ’−における置換基Ｒ’は、水素または非置換（Ｃ１−Ｃ６）アルキルから選択される、請求項１、２、３、４、５または６に記載の化合物。
【請求項９】
Ｒ５が置換されたベンジルであり、該ベンゼン環中の隣接炭素原子上の２つの置換基が、式−Ａ−（ＣＨ２）ｒ−Ｂ−［式中、ＡおよびＢは独立して、−ＣＨ２−、−Ｏ−、−ＮＨ−、−Ｓ−、−Ｓ（Ｏ）−、−Ｓ（Ｏ）２−、−Ｓ（Ｏ）２ＮＲ’−または単結合であり、ｒは１の整数であり、そのようにして形成された新たな環の単結合の１つは二重結合であってもよい］の基を形成する、請求項１、２、３、４、５または６に記載の化合物。
【請求項１０】
Ｒ５が置換されたベンジルであり、該ベンゼン環中の隣接炭素原子上の２つの置換基が、式−Ａ−（ＣＨ２）ｒ−Ｂ−［式中、ＡおよびＢは独立して、−ＣＨ２−、−Ｏ−、−ＮＨ−、−Ｓ−、−Ｓ（Ｏ）−、−Ｓ（Ｏ）２−、−Ｓ（Ｏ）２ＮＲ’−または単結合であり、ｒは２の整数であり、そのようにして形成された新たな環の単結合の１つは二重結合であってもよい］の基を形成する、請求項１、２、３、４、５または６に記載の化合物。
【請求項１１】
以下の構造：
【表１】
2019524739.tif 000003
2019524739.tif 000004
2019524739.tif 000005
2019524739.tif 000006
2019524739.tif 000007
2019524739.tif 000008
2019524739.tif 000009
2019524739.tif 000010
2019524739.tif 000011
から選択される、請求項１に記載の化合物。
【請求項１２】
以下の構造：
【表２】
2019524739.tif 000012
から選択される、請求項１に記載の化合物。
【請求項１３】
以下の構造：
【表３】
2019524739.tif 000013
から選択される、請求項１に記載の化合物：
【請求項１４】
請求項１〜１３のいずれか一項に記載の化合物および薬学的に許容される賦形剤を含む、丸剤、錠剤、カプセル剤またはロゼンジ剤から選択される単位剤形の医薬組成物。
【請求項１５】
請求項１に記載の化合物の、それを要すると決定された者に投与するための医薬の製造における使用であって、適応症が、虚血関連傷害、免疫不全疾患、またはアルツハイマー症候群、パーキンソン症候群、ハンチントン症候群もしくは筋萎縮性側索硬化症（ＡＬＳ）を含む神経変性疾患である、前記使用。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
1つ以上の非極性液体中に分散した固形白樺樹皮抽出物を含むエマルション泡沫。
【請求項２】
前記白樺樹皮抽出物が、少なくとも約70質量％のベツリン並びにベツリン酸、オレアノール酸、エリスロジオール、及びルペオールからなる群から選択される1つ以上のトリテルペンを含む、請求項１に記載の泡沫。
【請求項３】
前記非極性液体が、ひまわり油、中鎖トリグリセリド、及びパラフィンからなる群から選択される、請求項１に記載の泡沫。
【請求項４】
さらに水を含む、請求項１に記載の泡沫。
【請求項５】
前記エマルションが、油中水型エマルションである、請求項１に記載の泡沫。
【請求項６】
前記エマルションが、オレオゲルを含む、請求項５に記載の泡沫。
【請求項７】
前記オレオゲルが、約5質量％から約10質量％の固形白樺樹皮抽出物を含み、前記エマルションが、オレオゲル及び約20質量％から約30質量％の水からなる油中水型エマルションである、請求項６に記載の泡沫。
【請求項８】
前記オレオゲルが、約7質量％の固形白樺樹皮抽出物からなり、前記エマルション中の水の量が約25質量％である、請求項７に記載の泡沫。
【請求項９】
請求項１から１０のいずれか1項に規定される固形白樺樹皮抽出物の、約50μm未満の平均粒径を有し、約80質量％から約99質量％の1つ以上の非極性液体中に分散された粒子を約1質量％から約20質量％含む、請求項1に記載の泡沫。
【請求項１０】
約10質量％の固形白樺樹皮抽出物の粒子を含む、請求項９に記載の泡沫。
【請求項１１】
前記非極性液体が、少なくとも1つのトリグリセリドを含む、請求項１から１０のいずれか1項に記載の泡沫。
【請求項１２】
前記非極性液体が、少なくとも1つのC7以上の炭化水素を含む、請求項１から１１のいずれか1項に記載の泡沫。
【請求項１３】
前記非極性液体が、1種以上の植物油を含む、請求項１２に記載の泡沫。
【請求項１４】
前記非極性液体が、ヒマワリ油を含む、請求項１３に記載の泡沫。
【請求項１５】
前記トリグリセリドが、中鎖トリグリセリドである、請求項１１に記載の泡沫。
【請求項１６】
前記非極性液体が、約10未満の過酸化物価を有する、請求項１から１５のいずれか1項に記載の泡沫。
【請求項１７】
前記過酸化物価が、約3以下である、請求項１６に記載の泡沫。
【請求項１８】
約50μmを超えるサイズを有する固形白樺樹皮抽出物粒子を実質的に含まない、請求項１から１７のいずれか1項に記載の泡沫。
【請求項１９】
無菌である、請求項１から１８のいずれか1項に記載の泡沫。
【請求項２０】
乳化剤を実質的に含まない、請求項１から１９のいずれか1項に記載の泡沫。
【請求項２１】
前記エマルションの界面張力が、約4mN/mより大きい（ペンダントドロップ法）、請求項１から２０のいずれか1項に記載の泡沫。
【請求項２２】
泡沫指数が、約2より大きい、請求項１から２１のいずれか1項に記載の泡沫。
【請求項２３】
ホスファチジルコリン、ジステアリン酸ポリグリセリル-3-メチルグルコース、PEG/ドデシルグリコールコポリマー、セスキオレイン酸ポリグリセリル-2、ジイソステアリン酸ポリグリセリル-3、ポリリシノレイン酸ポリグリセリル-3、ソルビタン脂肪酸エステル、及びこれらの組み合わせからなる群より選択される乳化剤をさらに含む、請求項１から１８及び２０から２３のいずれか1項に記載の泡沫。
【請求項２４】
（ａ）ベツリン含有トリテルペン抽出物を非極性液体中に分散させることによりオレオゲルを調製する工程；
（ｂ）オレオゲルを約24時間に亘って貯蔵する任意の工程；
（ｃ）エマルションを形成する方法により、所定量の水を加える工程；及び
（ｄ）薬学的に許容される1つ以上の噴射剤を充填した容器に前記エマルションを入れる工程；
を含む方法によって調製される、請求項１から２３のいずれか1項に記載の泡沫。
【請求項２５】
工程（ａ）のオレオゲルが、約70質量％から約99質量％の1つ以上の非極性液体中に分散された約1質量％から約30質量％のトリテルペン抽出物を含む、請求項２４に記載の泡沫。
【請求項２６】
工程（ｃ）で添加される水の量が、非極性液体と約1：100から約1：1の割合である、請求項２４に記載の泡沫。
【請求項２７】
工程（ｄ）の薬学的に許容される噴射剤が、二酸化炭素、亜酸化窒素、プロパン、ブタン、イソブタン、ジメチルエーテル、クロロフルオロカーボン（CFC）、ヒドロクロロフルオロカーボン（HCFC）、及びヒドロフルオロカーボン（HFC）からなる群から選択される1つ以上の噴射剤である、請求項２４に記載の泡沫。
【請求項２８】
患者の創傷を治療する方法であって、請求項１から２７のいずれか1項に記載の泡沫の有効量を前記創傷の少なくとも一部に局所適用する工程を含む方法。
【請求項２９】
治療される創傷が、火傷、外科的皮膚病変、表在性外傷；慢性創傷、褥瘡、糖尿病性足部潰瘍、慢性静脈性潰瘍、動脈不全性潰瘍；美容皮膚処置、レーザーアブレーション皮膚処置、ケミカルピーリング、皮膚剥離、医薬品副作用から生じる創傷、中毒性表皮壊死症、ライエル症候群、スティーブンス・ジョンソン症候群、放射線皮膚炎、希少皮膚病、表皮水疱症、尋常性天疱瘡、及び類天疱瘡からなる群より選択される、請求項２８に記載の方法。
【請求項３０】
治療を必要とする患者において表皮水疱症を治療する方法であって、前記患者の表皮水疱領域に請求項１から２７のいずれか1項に記載の泡沫の有効量を局所適用する工程を含む方法。
【請求項３１】
治療を必要とする患者において壊死性帯状疱疹を治療する方法であって、前記患者の壊死しつつある皮膚領域に請求項１から２７のいずれか1項に記載の泡沫の有効量を局所投与する工程を含む方法。
【請求項３２】
請求項１から２７のいずれか1項に記載の泡沫を分配するための加圧容器であって、エマルション及び薬学的に許容される1つ以上の噴射剤を含み、前記容器から混合物の少なくとも一部を放出する際にエマルションが泡沫を形成する容器。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
癌の予防、進行の遅延又は治療に使用するための、ＰＤ−１アンタゴニスト及びＲＡＦ阻害剤を含む薬学的組合せであって、
前記ＰＤ−１アンタゴニストが、以下に列記される補体決定基領域（ＣＤＲ）を含む重鎖可変領域（Ｖｈ）及び軽鎖可変領域（Ｖｋ）を含む、ヒトＰＤ−１に特異的に結合する抗体又はそれに結合する抗原結合断片であり、
ＣＤＲ−Ｈ１、ＣＤＲ−Ｈ２及びＣＤＲ−Ｈ３（それぞれ配列番号３１、３２、３３）、並びに
ＣＤＲ−Ｌ１、ＣＤＲ−Ｌ２及びＣＤＲ−Ｌ３（それぞれ配列番号３４、３５、３６）、
前記ＲＡＦ阻害剤が、式（ＩＩ）の化合物、又はその薬学上許容される塩である薬学的組合せ。
【化１】
2019524714.tif 000001
【請求項２】
前記ＰＤ−１アンタゴニストが、配列番号２４及び２６をそれぞれ含む重鎖可変領域（Ｖｈ）及び軽鎖可変領域（Ｖｋ）を含む抗体である、請求項１に記載の薬学的組合せ。
【請求項３】
前記ＰＤ−１アンタゴニストが、重鎖可変領域（Ｖｈ）、軽鎖可変領域（Ｖｋ）、及び配列番号８８を含むＩｇＧ４重鎖エフェクター又は定常ドメインを含む抗体であって、重鎖可変領域（Ｖｈ）及び軽鎖可変領域（Ｖｋ）がそれぞれ配列番号２４及び配列番号２６を含む、請求項１に記載の薬学的組合せ。
【請求項４】
前記ＲＡＦ阻害剤が式（ＩＩ）の化合物のマレイン酸塩である、請求項１に記載の薬学的組合せ。
【請求項５】
前記ＲＡＦ阻害剤が、式（ＩＩＩａ）の化合物である、請求項１に記載の薬学的組合せ。
【化２】
2019524714.tif 000002
【請求項６】
前記癌が固形腫瘍である、請求項１〜５のいずれかに記載の薬学的組合せ。
【請求項７】
前記癌又は腫瘍が、副腎癌、膀胱癌、骨癌、脳腫瘍、乳癌、子宮頸癌、結腸直腸癌、子宮内膜癌、頭頸部癌、腎臓癌、肝臓癌、肺癌（小細胞肺癌、又は非小細胞肺癌を含む）、リンパ腫、メラノーマ、卵巣癌、膵臓癌、皮膚癌、又は甲状腺腫瘍、及びこれらの合併症からなる群から選択される、請求項１〜６のいずれかに記載の薬学的組合せ。
【請求項８】
前記癌又は腫瘍が、Ｂ−Ｒａｆ変異、Ｋ−Ｒａｓ／Ｎ−Ｒａｓ変異及び／又はＮＦ１変異と関連している、請求項７に記載の薬学的組合せ。
【請求項９】
前記癌又は腫瘍が、各々Ｋ−Ｒａｓ変異と関連している、非小細胞肺癌、結腸直腸癌、又は子宮内膜癌である、請求項１〜６のいずれかに記載の薬学的組合せ。
【請求項１０】
前記ＰＤ−１アンタゴニストと前記ＲＡＦ阻害薬とが、同時に、連続して又は別々に投与される、請求項１〜９のいずれかに記載の薬学的組合せ。
【請求項１１】
前記ＲＡＦ阻害剤が、５〜８０ｍｇＱＤの用量で経口投与される、請求項１〜９のいずれかに記載の薬学的組合せ。
【請求項１２】
前記ＰＤ−１アンタゴニストが、０．５〜１０ｍｇ／ｋｇのＱＷ、又はＱ２Ｗ、又はＱ３Ｗ又はＱ４Ｗの用量で非経口的に投与される、請求項１〜９のいずれかに記載の薬学的組合せ。
【請求項１３】
前記ＰＤ−１アンタゴニストが、重鎖可変領域（Ｖｈ）、軽鎖可変領域（Ｖｋ）、及び配列番号８８を含むＩｇＧ４重鎖エフェクター又は定常ドメインを含む抗体であり、前記重鎖可変領域（Ｖｈ）及び前記軽鎖可変領域（Ｖｋ）がそれぞれ配列番号２４及び配列番号２６を含み、
前記ＲＡＦ阻害剤が、式（ＩｌＩａ）
【化３】
2019524714.tif 000003
の化合物である、請求項１に記載の薬学的組合せ。
【請求項１４】
前記ＰＤ−１アンタゴニストが０．５〜１０ｍｇ／ｋｇのＱＷ、Ｑ２Ｗ又はＱ３Ｗの用量で投与され、前記ＲＡＦ阻害剤としての式（ＩＩＩａ）の化合物が５〜８０ｍｇＱＤの用量で投与される、請求項１に記載の薬学的組合せ。
【請求項１５】
前記ＰＤ−１アンタゴニストが０．５〜１０ｍｇ／ｋｇＩＶのＱＷ、Ｑ２Ｗ又はＱ３Ｗの用量で投与され、前記ＲＡＦ阻害剤としての式（ＩＩＩａ）の化合物が１０〜３０ｍｇＱＤの用量で投与される、請求項１に記載の薬学的組合せ。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
ａ）ヒトＩＬ−１７Ａと結合することができる、有効量の少なくとも１種類の単一可変重鎖ドメイン抗体、
ｂ）１０〜１５０ｍＭのトリス／グリシン
を含んでなり、ｐＨが約５〜約９である、組成物。
【請求項２】
前記単一可変重鎖ドメイン抗体が、配列番号４を有するＣＤＲ３を含んでなる、および／または
前記単一可変重鎖ドメイン抗体が、配列番号２を有するＣＤＲ１、配列番号３を有するＣＤＲ２、および配列番号４を有するＣＤＲ３を含んでなる、
請求項１に記載の組成物。
【請求項３】
前記単一可変重鎖ドメイン抗体が配列番号１またはそれと少なくとも７５％の相同性を有する配列を含んでなる、請求項１または２に記載の組成物。
【請求項４】
前記組成物が、以下の賦形剤：０．１〜１５０ｍＭのＬ−アルギニン／グルタミン酸、０．１〜１５％のソルビトールおよび／または０．１〜３０％のプロピレングリコールのうち１以上をさらに含んでなる、好ましくは
５０〜１５０ｍＭのトリス／グリシン、５０〜１５０ｍＭのＬ−アルギニン／グルタミン酸、５〜１５％のソルビトール、および４〜３０％のプロピレングリコールを含んでなり、ｐＨが約５〜約９である、より好ましくは
約１００ｍＭのトリス／グリシン、約１２５ｍＭのＬ−アルギニン／グルタミン酸、約１０％のソルビトール、約６％のプロピレングリコールを含んでなり、ｐＨが７．５〜８．５である、
請求項１〜３のいずれか一項に記載の組成物。
【請求項５】
前記相同性が、少なくとも７５％、少なくとも８０％、少なくとも８５％、少なくとも９０％、または少なくとも９５％である、および／または
前記単一ドメイン抗体が配列番号１または配列番号７４を含んでなる、および／または
前記組成物が局所投与に好適である、
請求項１〜４のいずれか一項に記載の組成物。
【請求項６】
浸透促進剤をさらに含んでなり、好ましくは前記浸透促進剤がトランスクトール（商標）  ステアレス−２０、ステアレス−２、オクチルデカノール、またはミリスチン酸イソプロピルから選択され、および／または
粘度調整剤をさらに含んでなり、好ましくは前記粘度調整剤がポロキサマーである、
請求項１〜５のいずれか一項に記載の記載の組成物。
【請求項７】
単一ドメイン抗体の濃度が１０ｍｇ／ｍｌ〜５０ｍｇ／ｍｌであり、および／または
２〜８℃、２０〜２５℃、または−７０℃で少なくとも１、２、３、６、または１２か月間の保存時に安定である、請求項１〜６のいずれか一項に記載の組成物。
【請求項８】
疾患の治療のための、請求項１〜７のいずれか一項に記載の組成物を含む、医薬組成物。
【請求項９】
前記疾患が皮膚障害であり、好ましくは前記皮膚障害が乾癬、脊椎関節症、ブドウ膜炎、歯肉炎またはアトピー性皮膚炎から選択され、または前記疾患が自己免疫疾患であり、好ましくは前記自己免疫疾患が喘息である、請求項８に記載の医薬組成物。
【請求項１０】
投与が局所的である、請求項９に記載の医薬組成物。
【請求項１１】
ａ）ヒトＩＬ−１７Ａと結合することができるＶＨドメインを含んでなる、有効量の少なくとも１種類の単一可変重鎖ドメイン抗体、および
ｂ）１０〜１５０ｍＭのトリス／グリシン
を含んでなり、ｐＨが約５〜約９である、凍結または噴霧乾燥組成物。
【請求項１２】
前記単一可変重鎖ドメイン抗体が、配列番号４を有するＣＤＲ３を含んでなる、および／または
前記単一可変重鎖ドメイン抗体が、配列番号２を有するＣＤＲ１、配列番号３を有するＣＤＲ２、および配列番号４を有するＣＤＲ３を含んでなる、
請求項１１に記載の組成物。
【請求項１３】
前記単一可変重鎖ドメイン抗体が、配列番号１またはそれと少なくとも７５％の相同性を有する配列を含んでなる、場合により
０．１〜１５０ｍＭのＬ−アルギニン／グルタミン酸をさらに含んでなる、および／または
約１００ｍＭのトリス／グリシン、約１２５ｍＭのＬ−アルギニン／グルタミン酸を含んでなり、ｐＨが約８である、
請求項１１または１２に記載の組成物。
【請求項１４】
再構成剤をさらに含んでなる、請求項１１〜１３のいずれか一項に記載の組成物を含んでなる、再構成された凍結または噴霧乾燥組成物。
【請求項１５】
請求項１〜１４のいずれか一項に記載の組成物と、場合により使用説明書とを含んでなり、場合により
再構成剤をさらに含んでなる、
キット。
【請求項１６】
請求項１１〜１３のいずれか一項に記載の組成物を準備することと、再構成剤を添加することを含んでなる、局所投与用の再構成処方物を作製するための方法。
【請求項１７】
請求項１〜７のいずれか一項に記載の組成物を含んでなる、局所投与用のクリーム、ローション、ゲル、または液体。
【請求項１８】
賦形剤と、ＩＬ−１７Ａと結合することができる単一ドメイン抗体とを合わせることを含んでなる、請求項１〜７のいずれか一項に記載の処方物を作製するための方法。
【請求項１９】
前記単一ドメイン抗体が配列番号１またはそれと少なくとも７５％の相同性を有する配列を含んでなる、および／または
前記賦形剤が１０〜１５０ｍＭのトリス／グリシンを含んでなる、
請求項１８に記載の方法。
【請求項２０】
請求項１〜１０および１４のいずれか一項に記載の組成物を含んでなる、液体、クリーム、粉末、ローション、ゲル、包帯、パッチ剤、または硬膏。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
内部ルーメンを有する長尺状本体と、
前記長尺状本体に形成され、前記長尺状本体の長さに沿って配置された複数の出口ポートであって、前記内部ルーメンから前記長尺状本体を囲む組織に流体を供給するように構成される複数の出口ポートと、
前記長尺状本体を囲む前記組織を加熱するように構成される切除要素と
を備え、
前記長尺状本体の流れの抵抗が、前記複数の出口ポートを含む前記長尺状本体の前記長さに沿って前記長尺状本体の近位端から前記長尺状本体の遠位端に向かって増加し、
前記長尺状本体が、前記複数の出口ポートを含む前記長尺状本体の前記長さの近位端から遠位端に向かって次第に厚さが増加するテーパ状の側壁を含む、
切除装置。
【請求項２】
前記長尺状本体の前記流れの抵抗は、前記内部ルーメンの単位長さ当たりの流れの抵抗、および前記複数の出口ポートを通って前記内部ルーメンから流出する流体の流れに対する抵抗のうちのいずれかを含む、請求項１に記載の切除装置。
【請求項３】
前記複数の出口ポートのそれぞれの面積の合計と前記内部ルーメンの面積との比が約３：１未満である、請求項１または２に記載の切除装置。
【請求項４】
前記複数の出口ポートのうちの遠位２５％を通る流体の流れに対する前記流れの抵抗は、前記複数の出口ポートのうちの遠位２５％が、前記複数の出口ポートから組織内に供給される流体の約７０体積％未満を供給するようなものである、請求項１から３のいずれか一項に記載の切除装置。
【請求項５】
前記複数の出口ポートのうちの遠位２５％を通る流体の流れに対する前記流れの抵抗は、前記複数の出口ポートのうちの遠位２５％が、前記複数の出口ポートから組織内に供給される流体の約５５体積％未満を供給するようなものである、請求項１から３のいずれか一項に記載の切除装置。
【請求項６】
前記複数の出口ポートのうちの遠位２５％を通る流体の流れに対する前記流れの抵抗は、前記複数の出口ポートのうちの遠位２５％が、前記複数の出口ポートから組織内に供給される流体の約４０体積％未満を供給するようなものである、請求項１から３のいずれか一項に記載の切除装置。
【請求項７】
前記複数の出口ポートのそれぞれの断面積が、前記長尺状本体の近位端から前記長尺状本体の遠位端に向かって減少する、請求項１から６のいずれか一項に記載の切除装置。
【請求項８】
隣接する軸方向に整列した出口ポート間の間隔が、前記長尺状本体の近位端から前記長尺状本体の遠位端に向かって増加する、請求項１から７のいずれか一項に記載の切除装置。
【請求項９】
前記複数の出口ポートのうちの少なくとも１つが非円形形状を有する、請求項１から８のいずれか一項に記載の切除装置。
【請求項１０】
前記複数の出口ポートのうちの少なくとも１つがスロット形状を有する、請求項１から８のいずれか一項に記載の切除装置。
【請求項１１】
前記複数の出口ポートを含む前記長尺状本体の前記長さに沿って前記長尺状本体の前記内部ルーメン内に配置された分流部
をさらに備え、
前記分流部の直径が、前記分流部の近位端から前記分流部の遠位端に向かって増加する、請求項１から１０のいずれか一項に記載の切除装置。
【請求項１２】
前記切除要素は、前記長尺状本体の長さに沿って配置された高周波電極であり、
前記切除装置は、前記切除要素の境界を少なくとも一部が越えて配置されている少なくとも１つの出口ポートであって、前記切除要素の前記境界に直接隣接する組織に流体を供給する少なくとも１つの出口ポートを含む、請求項１から１１のいずれか一項に記載の切除装置。
【請求項１３】
前記長尺状本体の少なくとも遠位部分は、組織に挿入されるように構成される、請求項１に記載の切除装置。
【請求項１４】
前記長尺状本体が、組織穿刺遠位先端部を有する、請求項１に記載の切除装置。
【請求項１５】
前記組織穿刺遠位先端部が、尖った先端部である、請求項１４に記載の切除装置。
【請求項１６】
前記長尺状本体の前記内部ルーメン内に配置され、前記内部ルーメンを通るときに流体を加熱するように構成される加熱アセンブリを更に備える、請求項１に記載の切除装置。
【請求項１７】
前記加熱アセンブリは、前記複数の出口ポートの近くに配置される、請求項１６に記載の切除装置。
【請求項１８】
前記複数の出口ポートのうちの遠位２５％を通る流体の流れに対する前記流れの抵抗は、前記複数の出口ポートのうちの遠位２５％が、前記複数の出口ポートから組織内に供給される流体の約２５体積％未満を供給するようなものである、請求項１に記載の切除装置。
【請求項１９】
前記複数の出口ポートのうちの近位２５％を通る流体の流れに対する前記流れの抵抗は、前記複数の出口ポートのうちの近位２５％が、前記複数の出口ポートから組織内に供給される流体の約２５体積％超を供給するようなものである、請求項１に記載の切除装置。
【請求項２０】
組織穿刺遠位先端部と、内部ルーメンと、長尺状本体の長さに沿って延びる流体供給部分と、を含む長尺状本体であって、前記流体供給部分が、前記内部ルーメンから前記長尺状本体を囲む組織に流体を供給するように構成される複数の出口ポートを有する、長尺状本体と、
前記長尺状本体を囲む組織を加熱するように構成される切除要素と
を備え、
前記長尺状本体の前記流体供給部分は、組織に供給される流体の約７０体積％未満が、前記流体供給部分の遠位２５％に配置された出口ポートから放出されるように構成される切除装置。
【請求項２１】
前記流体供給部分は、組織に供給される流体の約５５体積％未満が、前記流体供給部分の遠位２５％に配置された出口ポートから放出されるようにさらに構成される、請求項２０に記載の切除装置。
【請求項２２】
前記流体供給部分は、組織に供給される流体の約７０体積％未満が、前記流体供給部分の近位２５％に配置された出口ポートから放出されるようにさらに構成される、請求項２０に記載の切除装置。
【請求項２３】
前記流体供給部分は、組織に供給される流体の約５５体積％未満が、前記流体供給部分の近位２５％に配置された出口ポートから放出されるようにさらに構成される、請求項２０に記載の切除装置。
【請求項２４】
前記流体供給部分は、組織に供給される流体の約７０体積％未満が、前記流体供給部分の中央５０％に配置された出口ポートから放出されるようにさらに構成される、請求項２０に記載の切除装置。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
患者用インターフェースと一緒にまたは別個の導管として形成されるかに関わらない、呼吸ガスの流れを提供するための呼吸導管であって、前記導管は、潰れることができる部分を含み、前記潰れることができる部分の横断面は：
ユーザの顔に接して位置決めするための第１の側部、
前記第１の側部に対向しかつ前記ユーザの顔から見て外方に向く第２の側部
を含み、
前記第１および第２の側部は第１および第２の屈曲点によって接合され、開放構成では、前記第１および第２の屈曲点は、使用中、前記ユーザの顔から離間しており、
前記屈曲点間の前記第１の側部の内側の長さ、および前記屈曲点間の前記第２の側部の内側の長さは、実質的に等しく、ならびに
部分的な閉鎖または閉鎖構成では、前記第２の側部は、前記潰れることができる部分が前記第１および第２の屈曲点において折り重なる状態で、前記第１の側部の方へまたはそれに接するように動かされる、呼吸導管。
【請求項２】
前記第１の側部は、前記ユーザの顔に接して位置決めするための平坦部分を含む、請求項１に記載の呼吸導管。
【請求項３】
前記第２の側部は、前記開放構成にあるとき、外向きに湾曲している、請求項１または２に記載の呼吸導管。
【請求項４】
前記第１の側部は、前記開放構成にあるとき、前記平坦部分と、前記第１および第２の屈曲点のそれぞれとの間に、外向きの湾曲部分を含む、請求項２に記載の呼吸導管。
【請求項５】
前記閉鎖構成では、前記第１および第２の屈曲点は、ユーザの前記顔に接するまたは隣接するように動かされる、請求項１〜４のいずれか１項に記載の呼吸導管。
【請求項６】
前記外向きの湾曲部分の厚さは、前記平坦部分から前記それぞれの屈曲点の方へ、より厚みのある厚さから薄い厚さへとテーパが付けられている、請求項４に記載の呼吸導管。
【請求項７】
前記第１の側部および／または前記第２の側部の厚さは、各屈曲点の方へ、より厚みのある厚さから薄い厚さへとテーパが付けられている、請求項１〜６のいずれか１項に記載の呼吸導管。
【請求項８】
前記第１および第２の屈曲点の厚さは、前記潰れることができる部分の横断面の残りの部分の厚さよりも薄い、請求項１〜７のいずれか１項に記載の呼吸導管。
【請求項９】
前記開放構成では、各屈曲点に隣接する前記第１の側部は、前記平坦部分に対してある角度にあり、前記屈曲点に隣接する前記第１の側部と前記平坦部分との間の外角は、約６０〜７０度、または約６２〜６８度、または約６４〜６６度、または約６５度である、請求項２に記載の呼吸導管。
【請求項１０】
前記平坦部分の長さは約５ｍｍ〜１０ｍｍまたは約７ｍｍであり、および／または
前記潰れることができる部分の前記断面の左右幅は、１０ｍｍ〜１５ｍｍまたは約１３ｍｍである、請求項２に記載の呼吸導管。
【請求項１１】
ｉ）前記横断面の前記第１および／または第２の側部の中心の厚さ対前記第１および第２の屈曲点の前記厚さの比が、約１〜８の範囲にあり、および／または
ｉｉ）前記第１の側部の前記平坦部分の前記厚さ対前記第１および第２の屈曲点の前記厚さの比が、約１〜８の範囲にあり、および／または
ｉｉｉ）前記横断面の最も厚い部分対前記屈曲点である前記横断面の最も薄い部分の比が、約１〜８の範囲にある、請求項１〜１２のいずれか１項に記載の呼吸導管。
【請求項１２】
前記第１および第２の屈曲点が、前記第１および第２の側部の範囲を定めるまたは規定するか、または前記第１および第２の側部は、それぞれ、前記屈曲点間に、前記第１の屈曲点から前記第２の屈曲点まで完全に延在している、請求項１〜１３のいずれか１項に記載の呼吸導管。
【請求項１３】
前記潰れることができる部分は、前記横断面の中心線の周りで鏡映対称を有し、前記中心線は、前記横断面の前記第１および第２の側部の中心を通って延在している、請求項１〜１４のいずれか１項に記載の呼吸導管。
【請求項１４】
前記第１および第２の屈曲点間の距離は、前記平坦部分の幅を上回っている、請求項２に記載の呼吸導管。
【請求項１５】
前記第１の側部は、前記平坦部分の両側で前記それぞれの屈曲点に向かって外向きに広がっている、請求項２に記載の呼吸導管。
【請求項１６】
前記潰れることができる部分は、エラストマー／弾力性材料から形成されている、請求項１〜１５のいずれか１項に記載の呼吸導管。
【請求項１７】
前記導管は、前記患者用インターフェースの導管部分である、請求項１〜１８のいずれか１項に記載の呼吸導管。
【請求項１８】
前記導管は、前記患者用インターフェースと一体である、請求項１〜１７のいずれか１項に記載の呼吸導管。
【請求項１９】
前記患者用インターフェースは鼻カニューレである、請求項１〜１８のいずれか１項に記載の呼吸導管。
【請求項２０】
請求項１〜１９のいずれか１項に記載の呼吸導管を含む、患者用インターフェースであって、前記患者用インターフェースは、単一の入口、少なくとも１つの鼻出口を含む、鼻インターフェースであり、および前記呼吸導管は、前記単一の入口と前記少なくとも１つの鼻出口との間に延在している、患者用インターフェース。
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
体の内部の肺通路を治療するシステムであって、
遠位端の近くに配置される少なくとも１つの電極を含むカテーテルであって、前記少なくとも１つの電極がエネルギを前記肺通路の壁に伝達できるように前記遠位端が前記肺通路内に位置決めされるように構成された、カテーテルと、
前記少なくとも１つの電極と電気通信を行うジェネレータであって、前記肺通路の前記壁の少なくとも表面上の細胞を治療するための閾値より大きくかつ前記肺通路の前記壁内の軟骨層を治療するための閾値より小さいエネルギを前記肺通路の前記壁に伝達するために、前記気道壁に伝達可能な前記エネルギの電気信号を前記少なくとも１つの電極に供給するように構成された少なくとも１つのエネルギ送達アルゴリズムを有する、ジェネレータと、
を備える、システム。
【請求項２】
細胞を治療することは、前記通路の前記壁内のコラーゲンマトリックス構造を維持して前記肺通路の前記壁の再生を許容しながら、前記肺通路の前記壁から前記細胞を除去することを含む、請求項１に記載のシステム。
【請求項３】
前記細胞は、粘液過剰分泌に関連し、
前記肺通路の前記壁の再生は、前記肺通路の前記壁による粘液過剰分泌を低減させるための前記肺通路の前記壁の逆リモデリングを含む、請求項２に記載のシステム。
【請求項４】
前記細胞は、上皮細胞、杯細胞又は粘膜下線を含む、請求項２に記載のシステム。
【請求項５】
前記少なくとも１つのエネルギ伝達アルゴリズムは、熱灼熱を引き起こす閾値より小さい期間だけ前記肺通路の前記壁にエネルギを伝達するように構成されている、請求項１に記載のシステム。
【請求項６】
治療することは、細胞修飾を引き起こすことを含む、請求項１に記載のシステム。
【請求項７】
細胞修飾は、前記細胞による粘液生産を変化させるか、又は、前記細胞を再プログラミングするか、又は、改善薬剤の取り込みのために前記細胞を調整する、請求項６に記載のシステム。
【請求項８】
前記電気信号は、少なくとも１つのエネルギパケットを含む波形を有し、
前記各エネルギパケットは、一連の二相パルスを含む、請求項１に記載のシステム。
【請求項９】
少なくとも１つのエネルギパケットは、最大２０パケットの二相パルスを含む、請求項８に記載のシステム。
【請求項１０】
前記最大２０パケットの二相パルスの各々は、５〜１００マイクロ秒の期間を有する、請求項９に記載のシステム。
【請求項１１】
前記電気信号は、前記最大２０パケットの二相パルスの各々の間で０．００１秒〜約１０秒の休止期間を有する、請求項９に記載のシステム。
【請求項１２】
前記少なくとも１つの電極は、前記体の外部に配置された対極板とともに単極方式の単一電極として機能する、請求項１に記載のシステム。
【請求項１３】
前記電気信号は、複数のパルスで構成されており、
各パルスは、約２０００Ｖ〜３５００Ｖの間である、請求項１２に記載のシステム。
【請求項１４】
前記少なくとも１つの電極は、ともに双極方式で機能する少なくとも２つの電極を含む、請求項１に記載のシステム。
【請求項１５】
前記電気信号は、複数のパルスで構成されており、
各パルスは、約１００Ｖ〜１９００Ｖの間である、請求項１４に記載のシステム。
【請求項１６】
前記少なくとも１つの電極の少なくとも１つは、前記肺通路内で拡張するように構成された拡張型籠を形成する複数のワイヤを有する、請求項１に記載のシステム。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
ユーザによって膣細胞又は子宮頸部細胞を採取するためのデバイスであって、
遠位端及び近位端を有する中空円筒の細長チューブと、
前記細長チューブの前記遠位端に配置された細胞採取区域であって、該細胞採取区域が、該遠位端の縁部から予め決められた距離まで延び長さが約３．５から４．５センチメートル及び直径が約０．５から０．９ミリメートルである接着性採取要素によって覆われ、更に該採取要素が複数の隆起部を有する前記細胞採取区域と、
前記チューブの前記遠位端の前記縁部から予め決められた距離まで長くなっている前記細胞採取区域の片側内の中心に配置された少なくとも１つのチャネルと、
前記チューブの前記近位端に配置され、人間工学的形状の指グリップを更に含むハンドルであって、該指グリップの一端が、デザイン又はマーキングを有し、該ハンドル及び該チューブが、単一構造を形成するように設計される前記ハンドルと、
を含むことを特徴とするデバイス。
【請求項２】
前記採取区域は、前記チューブの前記遠位端の前記縁部の下の約０．３ミリメートルから前記採取要素の底部の前の約０．３ミリメートルまで長くなっていることを特徴とする請求項１に記載のデバイス。
【請求項３】
前記チャネルは、深さが０．３ミリメートル及び幅が０．３ミリメートルであることを特徴とする請求項１に記載のデバイス。
【請求項４】
前記ハンドルの前記指グリップの前記人間工学的形状は、蝶形状であることを特徴とする請求項１に記載のデバイス。
【請求項５】
前記指グリップの一端の両側が、膣管に挿入された状態でデバイスの３６０度回転の予め決められた回数を計数することを容易にするためにテクスチャデザイン又はマーキングされることを特徴とする請求項１に記載のデバイス。
【請求項６】
前記隆起部は、前記細胞採取区域の全体を通して少なくとも６つの横列及び横列当たり少なくとも１７個の隆起部に系統的様式で配置されることを特徴とする請求項１に記載のデバイス。
【請求項７】
ユーザによって膣細胞又は子宮頸部細胞を採取するための自己サンプリングデバイスであって、
遠位端及び近位端を有する中空円筒の細長チューブと、
前記細長チューブの前記遠位端に配置された細胞採取区域であって、該細胞採取区域が、長さ３．５から４．５センチメートル及び直径０．５から０．９ミリメートルである接着性採取要素によって覆われ、更に該採取要素が、該採取要素の細胞物質保持特性を改善するために該細胞採取区域の面の全体を通して系統的な隆起部を有する前記細胞採取区域と、
前記チューブの前記遠位端の縁部の下の約０．３ミリメートルから前記採取要素の底部の前の約０．３ミリメートルまで長くなっている前記細胞採取区域の片側内に配置され、深さ０．２から０．４ミリメートル及び幅０．２から０．４ミリメートルであるチャネルと、
前記チューブの前記近位端に配置されてデバイスのベースに取り付けられ、人間工学的形状の指グリップを更に含むハンドルであって、該指グリップの一端の両側が、膣管に挿入された状態でデバイスの３６０度回転の予め決められた回数を計数することを容易にするようにデザインされたテクスチャであり、更に該ハンドル及び該チューブが、単一構造を形成するように設計される前記ハンドルと、
を含むことを特徴とする自己サンプリングデバイス。
【請求項８】
前記隆起部の前記系統的な配置は、前記細胞採取区域の全体を通して少なくとも６つの横列及び横列当たり少なくとも１７個の隆起部にあることを特徴とする請求項７に記載のデバイス。
【請求項９】
ユーザによって膣管内の異なる区域から細胞の均質化サンプルを採取するためのデバイスであって、
遠位端及び近位端を有する中空円筒の細長チューブと、
前記細長チューブの前記遠位端に配置された細胞採取区域であって、該細胞採取区域が、該遠位端の縁部から予め決められた距離まで延び長さが約３．５から４．５センチメートル及び直径が約０．５から０．９ミリメートルである接着性採取要素によって覆われ、更に該採取要素が、該細胞採取区域の全長に沿っていくつかの平行な横列に配置された複数の系統的な隆起部を有する前記細胞採取区域と、
前記細胞をチャネル内で混合して細胞の前記均質化採取をもたらすように１回挿入を通じて前記膣管の長さに沿って異なる区域から該細胞を採取するために前記細胞採取区域の全長に沿って配置されたチャネルと、
前記チューブの前記近位端に配置され、人間工学的形状の指グリップを更に含むハンドルであって、該指グリップの一端が、デザイン又はマーキングを有し、該ハンドル及び該チューブが、単一構造を形成するように設計される前記ハンドルと、
を含むことを特徴とするデバイス。
【請求項１０】
前記採取区域は、前記チューブの前記遠位端の縁部の下の約０．３ミリメートルから前記採取要素の底部の前の約０．３ミリメートルまで長くなっていることを特徴とする請求項９に記載のデバイス。
【請求項１１】
前記チャネルは、深さ０．３ミリメートル及び幅０．３ミリメートルであり、該チャネルは、採取隆起部の２つの横列間に配置されることを特徴とする請求項９に記載のデバイス。
【請求項１２】
前記ハンドルの前記指グリップの前記人間工学的形状は、蝶形状であることを特徴とする請求項９に記載のデバイス。
【請求項１３】
前記指グリップの一端の両側が、前記膣管に挿入された状態でデバイスの３６０度回転の予め決められた回数を計数することを容易にするためにテクスチャデザイン又はマーキングされることを特徴とする請求項９に記載のデバイス。
【請求項１４】
前記隆起部は、前記細胞採取区域の全体を通して少なくとも６つの平行横列及び横列当たり少なくとも１７個の等距離隆起部に系統的様式で配置されることを特徴とする請求項９に記載のデバイス。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
ブリスターパックに操作的に取り付けられるように構成された被包装物であって、ブリスターパックは、医薬品を収納するように構成された複数のブリスター収納体のそれぞれから医薬品を調剤するように構成されており、被包装物は
幾何学パターン導体が被包装物上に配置され、幾何学パターン導体内の開路を形成する複数のブリスター収納体の１つから医薬品が取り出されるときに、幾何学パターン導体の少なくとも一部が破断するように、前記被包装物が前記ブリスターパックに操作的に取り付けられたときに複数のブリスター収納体のそれぞれに整列し、
幾何学パターン導体に電気的に結合され、幾何学パターン導体内の前記開路を検出し、破断した幾何学パターン導体を識別するように構成された被包装物上に配置された複数の接続導体、および
前記開路を検出し、前記開路が検出された時刻を格納し、アドヒアランスデータを作成するように構成された被包装物上に配置された処理および記憶回路を含む被包装物。
【請求項２】
前記被包装物上に配置され、かつ前記処理および記憶回路に電気的に接続され、前記アドヒアランスデータを認証された個人がアクセスできるサーバに通信するように構成された通信回路を更に含む請求項１に記載の被包装物。
【請求項３】
前記複数の接続導体は、導電性インクにより形成される請求項２に記載の被包装物。
【請求項４】
前記幾何学パターン導体は、前記複数のブリスター収納体のそれぞれを覆うジグザグ幾何学パターンを有する請求項３に記載の被包装物。
【請求項５】
前記複数の接続導体は、破断した幾何学パターン導体を個別に識別するように列および行で構成されている請求項３に記載の被包装物。
【請求項６】
前記医薬品が固形の医薬品、ゼリー状の医薬品、または液体の医薬品である請求項１に記載の薬包。
【請求項７】
請求項１〜６の被包装物を使用して服薬スケジュールに対する患者のアドヒアランスを示すアドヒアランスデータを収集して記憶する方法であって、
幾何学パターン導体が破断したことを検出するために、電子回路および通信回路を介して接続導体のコンダクタンスをチェックすること、および
幾何学パターン導体が破断した日時を格納してアドヒアランスデータを作成すること
を含む方法。
【請求項８】
ネットワーク接続サーバにアドヒアランスデータを送信すること、
前記ネットワーク接続サーバに接続された記憶装置に前記アドヒアランスデータを格納し、前記アドヒアランスデータは認証された個人によってアクセス可能であること
をさらに含む請求項７に記載の方法。
【請求項９】
前記幾何学パターン導体が破断したときの前記被包装物の位置を格納することをさらに含む請求項７に記載の方法。
【請求項１０】
前記医薬品のスペクトル分析を行うこと、
前記複数のブリスター収納体に分析された医薬品を充填すること、
前記スペクトル分析から得られたスペクトルデータを前記電子回路および通信回路に格納すること
を含む請求項７に記載の方法。
【請求項１１】
請求項２〜６に記載の被包装物が取り付けられたブリスターパックに入った医薬品をユーザに払い出す自動調剤機であって、前記自動調剤機に配置された通信電子機器は
医薬品の処方箋を受信し、前記処理、記憶回路および前記被包装物の通信回路から医薬品を識別するデータを受信するよう構成され、および
プロセッサは制御信号を生成するよう構成され、
デビットカードおよびクレジットカードを読み取るカードリーダと、
ユーザを促す表示画面と、
前記医薬品を摂取する患者を特定する情報を含むラベルを生成し、および前記医薬品を摂取する指示を生成するラベラーと、および
前記医薬品を払い出す調剤機とを制御する
制御信号を生成するプロセッサを備える自動調剤機。
【請求項１２】
自動調剤機のユーザを識別するための生体情報読み取り装置をさらに備える請求項１１に記載の自動調剤機。
【請求項１３】
患者による服薬スケジュールへのアドヒアランスを示すアドヒアランスデータを通信する請求項１〜６に記載の被包装物で操作可能なシステムであって、
通信機は処理および記憶回路と通信可能に結合され、処理および記憶回路からアドヒアランスデータを受信するように構成され、アドヒアランスデータを格納するためにネットワークに送信して、許可された個人がアクセスするように構成された通信システム。
【請求項１４】
前記許可された個人とは、患者をスコア化するための患者遵守データを生成する保険会社、患者をスコア化するための患者遵守データを生成する薬局、患者をスコア化するための患者遵守データを生成する医療提供者、または法執行機関を含む請求項１３に記載の通信システム。
【請求項１５】
前記通信機が、近距離通信プロトコルを介して前記処理および記憶回路に通信可能に結合されている請求項１３に記載の通信システム。
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
磁気共鳴撮像のために使用される稼働磁気共鳴撮像アンテナと、放射線治療実施中に使用されるモックアップアンテナとを含むキットを使用するための方法であって、前記放射線治療が、放射線治療プランに基づいて実施され、前記放射線治療プランが、放射線治療より前に取得されるプランニング磁気共鳴画像に少なくとも部分的に基づき、第１の種類の放射線が放射線治療中に使用される間、無線周波数放射線である第２の種類の放射線が前記プランニング磁気共鳴画像の取得中に使用され、前記方法において、前記稼働磁気共鳴撮像アンテナは、放射線治療より前に画像を取得するために、並びに、磁気共鳴撮像中の患者の位置及び／又は配向に影響を及ぼすために使用され、前記稼働磁気共鳴撮像アンテナは、磁気共鳴撮像中の前記患者の位置及び／又は配向に影響を及ぼすか又はそれを可能にするようなやり方で前記患者に向かって配置される内面を備え、前記方法においてさらに、前記モックアップアンテナは、放射線治療実施中の患者の位置及び／又は配向に影響を及ぼすか又はそれを可能にするために使用され、前記モックアップアンテナは、前記第１の種類の放射線に対して実質的に透過性であって、放射線治療実施中の前記患者の位置及び／又は配向に影響を及ぼすか又はそれを可能にするようなやり方で前記患者に向かって配置される内面を有し、前の磁気共鳴撮像中の前記患者の位置及び／又は配向を再現する、方法。
【請求項２】
前記モックアップアンテナの前記内面が、前記プランニング磁気共鳴画像の取得中の前記患者の位置及び／又は配向と同等又は同様の、放射線治療実施中の前記患者の前記位置及び／又は配向を可能にするか又は影響を及ぼすために、前記プランニング磁気共鳴画像の前記取得中に使用される対応する前記稼働磁気共鳴撮像アンテナの形状と同様の形状を有する、請求項１に記載の方法。
【請求項３】
前記モックアップアンテナが、前記モックアップアンテナと固定手段との接続を可能にする接続手段を備え、前記固定手段が、放射線治療中の前記モックアップアンテナの位置を固定させる、請求項１又は２に記載の方法。
【請求項４】
磁気共鳴撮像のために使用される稼働磁気共鳴撮像アンテナと、放射線治療実施中に使用されるモックアップアンテナとを含むキット用の当該モックアップアンテナであって、前記放射線治療が、放射線治療プランに基づいて実施され、前記放射線治療プランが、放射線治療より前に取得されるプランニング磁気共鳴画像に少なくとも部分的に基づき、第１の種類の放射線が放射線治療中に使用される間、無線周波数放射線である第２の種類の放射線が前記プランニング磁気共鳴画像の取得中に使用され、前記稼働磁気共鳴撮像アンテナは、磁気共鳴撮像中の患者の位置及び／又は配向に影響を及ぼすようなやり方で前記患者に向かって配置される内面を備え、前記モックアップアンテナは、前記第１の放射線に対して実質的に透過性であり、放射線治療実施中の前記患者の位置及び／又は配向に影響を及ぼすようなやり方で前記患者に向かって配置される内面を備え、前記内面が、前の磁気共鳴撮像中の前記患者の位置及び／又は配向を再現するために、前記稼働磁気共鳴撮像アンテナの前記内面の形状と同様の形状を有する、キット用のモックアップアンテナ。
【請求項５】
前記モックアップアンテナが、接続手段を備え、前記接続手段は、放射線治療中の前記モックアップアンテナの位置を固定させる固定手段と前記モックアップアンテナとの間の接続を可能にする、請求項４に記載のキット用のモックアップアンテナ。
【請求項６】
前記接続手段に接続可能であり、前記プランニング磁気共鳴画像の前記取得中に使用される前記稼働磁気共鳴撮像アンテナの位置と、放射線治療実施中の前記患者に対して同様の位置にモックアップコイルを配置する、固定手段をさらに備える、請求項４又は５に記載のキット用のモックアップアンテナ。
【請求項７】
前記プランニング磁気共鳴画像の前記取得中に使用される前記稼働磁気共鳴撮像アンテナの輪郭及び／又は外観と同様の輪郭及び／又は外観を有する、請求項４、５又は６に記載のキット用のモックアップアンテナ。
【請求項８】
磁気共鳴撮像のために使用される稼働磁気共鳴撮像アンテナと、放射線治療実施中に使用されるモックアップアンテナとを含むキットであって、前記放射線治療が、放射線治療プランに基づいて実施され、前記放射線治療プランが、放射線治療より前に取得されるプランニング磁気共鳴画像に少なくとも部分的に基づき、第１の種類の放射線が放射線治療中に使用される間、無線周波数放射線である第２の種類の放射線が前記プランニング磁気共鳴画像の取得中に使用され、前記稼働磁気共鳴撮像アンテナは、磁気共鳴撮像中の患者の位置及び／又は配向に影響を及ぼすようなやり方で前記患者に向かって配置される内面を備え、前記モックアップアンテナは、前記第１の放射線に対して実質的に透過性であり、放射線治療実施中の前記患者の位置及び／又は配向に影響を及ぼすようなやり方で前記患者に向かって配置される内面を備え、前記内面が、前の磁気共鳴撮像中の前記患者の位置及び／又は配向を再現するために、前記稼働磁気共鳴撮像アンテナの前記内面の形状と同様の形状を有する、キット。
【請求項９】
前記モックアップアンテナが、接続手段を備え、前記接続手段は、放射線治療中の前記モックアップアンテナの位置を固定させる固定手段と前記モックアップアンテナとの間の接続を可能にする、請求項８に記載のキット。
【請求項１０】
前記接続手段に接続可能であり、前記プランニング磁気共鳴画像の前記取得中に使用される前記稼働磁気共鳴撮像アンテナの位置と、放射線治療実施中の前記患者に対して実質的に同様の位置にモックアップコイルを配置する、固定手段をさらに備える、請求項８又は９に記載のキット。
【請求項１１】
前記固定手段はさらに、前記稼働磁気共鳴撮像アンテナに接続可能であり、前記患者に対して同様のやり方での前記モックアップコイルと前記稼働磁気共鳴撮像アンテナとの配置を可能にする、請求項１０に記載のキット。
【請求項１２】
前記モックアップコイルと前記稼働磁気共鳴撮像アンテナとが、同様の輪郭及び／又は外観を有する、請求項８から１１のいずれか一項に記載のキット。